(57)【要約】      （修正有）【課題】ウッドデッキ本来の素材の雰囲気や装飾性を損なうおそれが少なく、また植栽部分をウッドデッキの部分に一体化するための作業を容易に行うことができるウッドデッキ緑化構造体及びウッドデッキ緑化構造体の施工方法を提供する。【解決手段】複数のデッキプレート１と、相互に隣接する少なくとも２個のデッキプレート間に配置される植栽容器２とを備え、植栽容器が配置されるデッキプレート間には空間部が形成され、植栽容器の上面の開口部の外側にはフランジ３が外向きに突設され、空間部内に植栽容器が挿入された状態で植栽容器のフランジが係入される係入凹部４が植栽容器が挿入される空間部の両側のデッキプレートの側面に形成され、デッキプレートの側面の係入凹部に前記植栽容器のフランジが係入されていることを特徴とする。【選択図】図４
2017163906.tif 000002
【特許請求の範囲】
【請求項１】
ウッドデッキを構成すべく隣接して並設される複数のデッキプレートと、
上面に開口部を有し、相互に隣接する少なくとも２個のデッキプレート間に配置される植栽容器とを備え、
該植栽容器が配置されるデッキプレート間には、該植栽容器が挿入できるような空間部が形成され、前記植栽容器の上面の開口部の外側にはフランジが外向きに突設され、該植栽容器のフランジが係入される係入凹部が前記空間部の両側のデッキプレートの側面に形成され、該デッキプレートの側面の係入凹部に前記植栽容器のフランジが係入されていることを特徴とするウッドデッキ緑化構造体。
【請求項２】
前記空間部が複数形成され、各空間部間に配置されるデッキプレートの数が同数となるように、それぞれの空間部間に複数のデッキプレートが配置され、前記複数の空間部内に、複数の植栽容器がそれぞれ挿入されている請求項１記載のウッドデッキ緑化構造体。
【請求項３】
ウッドデッキを構成する複数のデッキプレートを隣接して並設し、
相互に隣接する少なくとも２個のデッキプレート間に、上面に開口部を有するとともに該開口部の外側にフランジが外向きに突設された植栽容器を挿入できるような空間部を形成し、
該空間部内に前記植栽容器を挿入し、該植栽容器のフランジを、前記空間部の両側のデッキプレートの側面に予め形成された係入凹部に係入して施工する
ことを特徴とするウッドデッキ緑化構造体の施工方法。
【請求項４】
前記空間部が複数形成され各空間部間に配置されるデッキプレートの数が同数となるように、それぞれの空間部間に複数のデッキプレートを配置し、前記複数の空間部内に、複数の植栽容器をそれぞれ挿入する請求項１記載のウッドデッキ緑化構造体の施工方法。
【発明の詳細な説明】
【技術分野】
【０００１】
本発明は、ウッドデッキ緑化構造体及びウッドデッキ緑化構造体の施工方法、さらに詳しくは、ウッドデッキの部分と植栽の部分とを一体化させて、たとえば建築物の屋上部分、バルコニー、ベランダ、庭園等に施工されるウッドデッキ緑化構造体と、そのようなウッドデッキ緑化構造体を施工するための施工方法に関する。
【背景技術】
【０００２】
一般に、ウッドデッキは、木に触れ合うという自然志向や非日常的空間の演出等、機能よりも素材の持つ雰囲気や、装飾性等が重視されて用いられる傾向があり、たとえば開放的な夏の雰囲気を現出させる等の観点で、バルコニー、ベランダ、庭園等に施工されている。
【０００３】
また、近年ではヒートアイランド現象を緩和させる等の目的で、建築物の屋上部分に植栽が施こされる等によって緑化のための施工が行われているが、ヒートアイランド現象の緩和を目的とするのみならず、上記のような非日常的空間の演出等を目的として、緑化の施工とともにウッドデッキを施工することが建築物の屋上部分等においても行われている。
【０００４】
このようにウッドデッキを施工するとともに、植栽を施す最も簡易な手段として、たとえば植物を植栽したプランター等の植栽容器をウッドデッキ上に載置するようなことが挙げられる（たとえば特許文献１）。
【０００５】
しかし、上記特許文献１のような技術では、単にウッドデッキ上に植栽容器が載置されているにすぎないので、ウッドデッキの部分と植栽の部分とが別々に存在しているという印象しか現出されない。
【０００６】
また当該特許文献１の段落［０００２］等にも記載されているように、植栽容器をウッドデッキ上に載置する場合には、ウッドデッキは植栽容器を載置するための受台として機能させることに主眼が置かれており、ウッドデッキの装飾性等はさほど考慮されていない。特に、ウッドデッキに植栽容器が載置される場合には、ウッドデッキの表面が植栽容器よりも下側に位置して段差を生じることになるので、載置する植栽容器の数を増やすと、ウッドデッキの存在感が減少し、ウッドデッキが本来有する素材の雰囲気、装飾性等が損なわれるおそれがある。
【０００７】
一方、緑化の施工とともにウッドデッキのエリアを形成する技術として、たとえば特許文献２や特許文献３のような特許出願がなされている。これら特許文献２や特許文献３には、建造物の屋上等において、植物が植栽されるエリアと、ウッドデッキのエリアとが区分して施工される技術が記載されている。しかし、これら特許文献２や特許文献３に記載された技術では、ウッドデッキの装飾性が損なわれることはないものの、ウッドデッキのエリアが植栽のエリアと区分して施工されているので、ウッドデッキのエリアと植栽のエリアとがそれぞれ別々に存在しているという印象しか現出されない。
【０００８】
上記のように植栽容器をウッドデッキ上に載置するにすぎない特許文献１や、植物が植栽されるエリアとウッドデッキのエリアとが区分して施工される特許文献２、３では、ウッドデッキの部分と植栽の部分とが別々に存在しているという印象しか現出されない点に鑑み、ウッドデッキの部分に植栽部分を一体化させたウッドデッキ緑化構造体のようなものを提供することも提案されており、そのようなウッドデッキ緑化構造体に関する技術として、たとえば特許文献４及び特許文献５のような特許出願がなされている。
【０００９】
特許文献４は、ウッドデッキの表面に芝を貼り付けて緑化構造体となすものである（特許文献４の図１等）。しかし、この特許文献４の技術では、ウッドデッキの表面の大部分が芝によって覆われており、ウッドデッキは緑化構造体の表面上のごく一部にしか裸出されていないので、ウッドデッキが本来有する素材の雰囲気、装飾性等が十分に発揮されないおそれがある。
【００１０】
また特許文献５は、ウッドデッキ埋込花壇ユニットに係るもので（特許文献５の［０００１］等）、植栽容器の上部の周囲にフランジを形成し、その植栽容器を挿入でき且つ該植栽容器のフランジが載置されて係合されるようにウッドデッキに孔を穿設し、その孔に植栽容器を挿入し、植栽容器のフランジをウッドデッキの表面に係合させて植栽容器をウッドデッキに設置するものである。
【００１１】
しかし、この特許文献５の技術では、植栽容器を挿入するために、ウッドデッキを構成する何個かのデッキプレートに跨るように方形状の孔が穿設されるので、このような孔は、複数のデッキプレートが連続した状態で並設された後に形成されることになり、このように複数のデッキプレートを並設した後に、何個かのデッキプレートに跨るように孔を形成するような作業自体が煩雑であり、このような作業が必要となることで、植栽容器をウッドデッキに設置する作業、ひいては植栽部分をウッドデッキに一体化するための作業が煩雑なものとなる。
【００１２】
さらに、特許文献５の技術では、植栽容器のフランジがウッドデッキの表面に係合されて植栽容器がウッドデッキに設置されるので、植栽容器のフランジがウッドデッキの表面に裸出された状態となり、それによってウッドデッキの装飾性が損なわれるおそれがある。
【先行技術文献】
【特許文献】
【００１３】
【特許文献１】特開２００５−９８０４９号公報
【特許文献２】特開２０１４−１７１４１４号公報
【特許文献３】特開２００５−１１３６５９号公報
【特許文献４】特開２０１４−５４２０４号公報
【特許文献５】特開２００１−９５３８８号公報
【発明の概要】
【発明が解決しようとする課題】
【００１４】
本発明は、上記のような問題点に鑑みてなされたもので、ウッドデッキの部分と植栽の部分とが一体化されたウッドデッキ緑化構造体でありながら、ウッドデッキ本来の素材の雰囲気や装飾性を損なうおそれが少なく、また植栽部分をウッドデッキの部分に一体化するための作業を容易に行うことができるウッドデッキ緑化構造体及びウッドデッキ緑化構造体の施工方法を提供することを課題とする。
【課題を解決するための手段】
【００１５】
本発明は、ウッドデッキを構成すべく隣接して並設される複数のデッキプレートと、上面に開口部を有し、相互に隣接する少なくとも２個のデッキプレート間に配置される植栽容器とを備え、該植栽容器が配置されるデッキプレート間には、該植栽容器が挿入できるような空間部が形成され、前記植栽容器の上面の開口部の外側にはフランジが外向きに突設され、該植栽容器のフランジが係入される係入凹部が、前記植栽容器が挿入される空間部の両側のデッキプレートの側面に形成され、該デッキプレートの側面の係入凹部に前記植栽容器のフランジが係入されていることを特徴とするウッドデッキ緑化構造体を提供するものである。
【００１６】
また本発明は、ウッドデッキを構成する複数のデッキプレートを隣接して並設し、相互に隣接する少なくとも２個のデッキプレート間に、上面に開口部を有するとともに該開口部のフランジが外向きに突設された植栽容器を挿入できるような空間部を形成し、該空間部内に前記植栽容器を挿入し、該植栽容器のフランジを、前記植栽容器が挿入される空間部の両側のデッキプレートの側面に予め形成された係入凹部に係入して施工することを特徴とするウッドデッキ緑化構造体の施工方法を提供するものである。
【００１７】
かかる構成によって、複数のデッキプレートのうち、相互に隣接する少なくとも２個のデッキプレート間に空間部を形成し、該空間部内に予め植物を植栽した植栽容器を挿入するとともに、植栽容器のフランジを、空間部の両側のデッキプレートの側面の係入凹部に係入することによって、前記隣接するデッキプレート間の空間部内に植栽容器を設置することができる。
【００１８】
この場合において、植栽容器は、該植栽容器のフランジを、デッキプレートの側面に形成された係入凹部に係入することによって、隣接するデッキプレート間の空間部に設置されるので、植栽容器のフランジをデッキプレートの表面に係合させる従来のウッドデッキ緑化構造体のように植栽容器のフランジがデッキプレートの表面に裸出することがない。
【００１９】
またフランジは、植栽容器の上面開口部の外側に突設されたものであるので、該フランジがデッキプレートの側面の係入凹部に係入された状態において、植栽容器自体がデッキプレートの表面よりも上側に突出するようなこともない。
【００２０】
このように、植栽容器のフランジは、デッキプレートの側面に形成された係入凹部に係入されるので、植栽容器のフランジがデッキプレートの表面に裸出することがなく、また植栽容器自体もデッキプレートの表面の上側に突出することがなく、ウッドデッキの装飾性が損なわれるおそれが少ない。
【００２１】
また植栽容器は、隣接するデッキプレート間の空間部に配置され、その隣接する一方のデッキプレートの係入凹部と他方のデッキプレートの係入凹部とにフランジを係入することで、隣接するデッキプレート間の空間部に設置されるので、上記従来のウッドデッキ緑化構造体のように、複数のデッキプレートを並設した後に、何個かのデッキプレートに跨って孔を穿設するような煩雑な作業を要することもない。
【００２２】
尚、上記空間部が複数形成され各空間部間に配置されるデッキプレートの数が同数となるように、それぞれの空間部間に複数のデッキプレートを配置し、前記複数の空間部内に、複数の植栽容器をそれぞれ挿入することができる。この場合には、複数のデッキプレートにおいて複数の植栽容器をほぼ等間隔毎に配置して一体化することができるので、ウッドデッキ緑化構造体の装飾性がより良好となる。
【発明の効果】
【００２３】
以上のように、本発明によって、ウッドデッキの部分と植栽の部分とが一体化されたウッドデッキ緑化構造体でありながら、ウッドデッキ本来の素材の雰囲気や装飾性を損なうおそれが少なく、また植栽部分をウッドデッキの部分に一体化するための作業を容易に行うことができるウッドデッキ緑化構造体及びウッドデッキ緑化構造体の施工方法を提供することが可能となる。
【図面の簡単な説明】
【００２４】
【図１】一実施形態のウッドデッキ緑化構造体の概略平面図。
【図２】図１のI−I線断面図。
【図３】同概略拡大平面図。
【図４】同概略拡大断面図。
【図５】植栽容器の斜視図。
【発明を実施するための形態】
【００２５】
以下、本発明の実施形態について説明する。
【００２６】
本実施形態のウッドデッキ緑化構造体は、ウッドデッキを構成すべく隣接して並設される複数のデッキプレートと、上面に開口部を有し、相互に隣接する少なくとも２個のデッキプレート間に配置される植栽容器とを備え、該植栽容器が配置されるデッキプレート間には、該植栽容器が挿入できるような空間部が形成され、前記植栽容器の上面の開口部の外側にはフランジが外向きに突設され、該植栽容器のフランジが係入される係入凹部が、前記植栽容器が挿入される空間部の両側のデッキプレートの側面に形成され、該デッキプレートの側面の係入凹部に前記植栽容器のフランジが係入されているものである。
【００２７】
また本実施形態のウッドデッキ緑化構造体の施工方法は、ウッドデッキを構成する複数のデッキプレートを隣接して並設し、相互に隣接する少なくとも２個のデッキプレート間に、上面に開口部を有するとともに該開口部のフランジが外向きに突設された植栽容器を挿入できるような空間部を形成し、該空間部内に前記植栽容器を挿入し、該植栽容器のフランジを、前記植栽容器が挿入される空間部の両側のデッキプレートの側面に予め形成された係入凹部に係入して施工するものである。
【００２８】
本実施形態のウッドデッキ緑化構造体は、上記のようにウッドデッキを構成する複数のデッキプレート１と、該複数のデッキプレート１のうち、相互に隣接する少なくとも２個のデッキプレート１、１間の空間部１６に配置される植栽容器２とを備えている。
【００２９】
ウッドデッキのデッキプレート１は、一般にウッドデッキと称されるデッキを構成するデッキプレートと同様に、木材、或いは木材に合成樹脂等の合成用混合物を混合した合成木材で構成される。デッキプレート１は、たとえば図１、図３に示すように平面長方形の板状に形成される。ただし、その形状は特に限定されるものではなく、他の形状に形成することも可能である。
【００３０】
デッキプレート１の側面には、図２及び図４に示すように、後述する植栽容器２のフランジ３が係入される係入凹部４が形成されている。このような係入凹部４は、ウッドデッキ緑化構造体に配置されるすべてのデッキプレート１の側面に形成される必要は必ずしもなく、要は、後述する植栽容器２が配置される空間部１６の両側のデッキプレート１の側面に係入凹部４が形成されていればよい。
【００３１】
ただし、図２及び図４のウッドデッキ緑化構造体のように、すべてのデッキプレート１の側面に係入凹部４が形成されていてもよい。すべてのデッキプレート１の側面に係入凹部４が形成される場合には、図２に示すように、空間部１６が存在せずに隣接するデッキプレート１、１の側面部の係入凹部４にビス１７を挿入することができ、そのようにデッキプレート１、１の側面部の係入凹部４、４間にビス１７を挿入することによって、隣接するデッキプレート１、１を確実に連結することができる。
【００３２】
図１乃至図４のウッドデッキ緑化構造体の場合には、短手方向に複数の孔５が穿設されたデッキプレート１が用いられている。ただし、このような孔５が穿設される必要は必ずしもない。
【００３３】
植栽容器２は上面に開口部６を有し、該開口部６の外側にはフランジ３が外向きに突設されている。フランジ３は、植栽容器２の開口部６の外側の全周に形成されている必要は必ずしもなく、デッキプレート１の側面部の係入凹部４に挿入できるような箇所のみに形成されていればよい。たとえば、植栽容器２が図５のように平面長方形状に形成されている場合には、同図に示すように、長方形を形成する４辺のうち、対面する２辺の上端縁のみに形成されていればよい。
【００３４】
また植栽容器２の形状も特に限定されるものではなく、植物が収容できて植栽できるような形状であればよい。図５の植栽容器２の場合には、平面長方形状で上面に開口部６を有する直方体の箱状に形成されている。また植栽容器２の材質も、金属、合成樹脂、セラミック等問うものではない。
【００３５】
さらに、図５に示す植栽容器２の場合には、該植栽容器２の短手方向の側面７、７に、灌水パイプ等を挿入するための孔８が左右に２個ずつ穿設されている。また同図の植栽容器２の長手方向の側面９には、排水ニップル１０を挿入するための孔１１が左右に２個ずつ穿設されている。
【００３６】
上記のような孔８が植栽容器２に穿設されていることによって、植栽容器２で植栽される植物に対して好適に灌水を行うことができる。また、排水ニップル１０が孔１１に挿入されていることによって、植栽容器２内の土壌等の水分保持量に応じて適宜排水を行うことができる。
【００３７】
複数のデッキプレート１、・・・の下部側には、根太１２が一定間隔毎に配置される。そして、該根太１２の上面にデッキプレート１が載置されている。根太１２は、図４に示すように、薄い支持材１３を介して基盤１４上に設けられている。この結果、基盤１４と根太１２との間には、わずかな隙間１５が形成され、通気性が維持されている。
【００３８】
複数のデッキプレート１、・・・は、図１乃至図４に示すように、相互に隣接するように配置されている。そして、これらの複数のデッキプレート１、・・・のうち、一部の２個のデッキプレート１、１間には、空間部１６が形成され、該空間部１６内に前記植栽容器２が挿入されている。
【００３９】
次に、上記のようなウッドデッキ緑化構造体を施工する場合について説明する。
【００４０】
先ず、一定間隔毎に配置された根太１２に複数のデッキプレート１、・・・を載置する。複数のデッキプレート１、・・・は、一定間隔毎に配置された根太１２に交差するようにして、且つ複数のデッキプレート１、・・・が同じ方向を向いて相互に隣接するように載置される。
【００４１】
このようにして、相互に隣接するように根太１２上に載置された複数のデッキプレート１、・・・のうち、植栽容器２を配置する箇所の両側の２個のデッキプレート１、１間に空間部１６を形成する。空間部１６は、望ましくは、相互に隣接する複数のデッキプレート１、・・・のうち、同じ枚数のデッキプレート１、・・・を隔てた等間隔毎に形成される。等間隔毎に複数の空間部１６が形成されることになるので、空間部１６内に挿入される植栽容器２もウッドデッキ緑化構造体において複数具備されることになる。図１乃至図４のウッドデッキ緑化構造体の場合には、４個のデッキプレート１を隔てて空間部１６が形成されている。
【００４２】
次に、該空間部１６に植栽容器２を挿入し、該空間部１６の両側のデッキプレート１の側面に予め形成された係入凹部４内に、植栽容器２のフランジ３を係入する。
【００４３】
図５の植栽容器２の場合には、フランジ３は、対面する植栽容器２の長手方向の２辺の上端縁のみに形成されているので、その長手方向の２辺に形成されたフランジ３、３を、前記空間部１６の両側のデッキプレート１の側面に形成された係入凹部４内に係入する。
【００４４】
このようにフランジ３、３を係入凹部４内に係入することによって、図２に示すように、植栽容器２は相互に隣接する複数のデッキプレート１、・・・のうち、空間部１６の両側の２個のデッキプレート１、１間に、架設される状態となるように設置されることとなる。
【００４５】
この場合において、植栽容器２のフランジ３が係入される係入凹部４は、デッキプレート１の側面に形成されているので、係入凹部４内に係入されるフランジ３が、デッキプレート１の表面に裸出することがない。また、フランジ３は、植栽容器２の上面の開口部６の外側に突設されたものであるので、該フランジ３がデッキプレート１の側面の係入凹部４に係入された状態において、植栽容器２自体がデッキプレート１の表面よりも上側に突出するようなこともない。
【００４６】
このように、植栽容器２のフランジ３はデッキプレート１の側面の係入凹部４に係入されていてデッキプレート１の表面には一切裸出しておらず、また植栽容器２自体がデッキプレート１の表面よりも上側に突出するようなことがないので、隣接する状態で並設された複数のデッキプレート１の一部に空間部１６が存在し、その空間部１６に植栽容器２が配置されているにもかかわらず、複数のデッキプレートが連続して並設された状態で構成されるウッドデッキの装飾性がほとんど損なわれることもない。
【００４７】
特に、植栽容器２が配置される空間部１６は、同じ枚数のデッキプレート１、・・・を隔てた等間隔毎に形成されているので、複数のデッキプレートが連続して並設されたウッドデッキの装飾性も維持されることとなる。
【００４８】
尚、上記実施形態では、根太１２上に複数のデッキプレート１を載置して施工する場合について説明したが、根太１２上にデッキプレート１を載置することは本発明に必須の条件ではない。根太以外の下地材にデッキプレート１を載置して施工することも可能である。
【００４９】
また上記実施形態では、空間部１６が、相互に隣接する複数のデッキプレート１、・・・のうち、同じ枚数のデッキプレート１、・・・を隔てた等間隔毎に形成されていたが、このように等間隔毎に空間部１６を形成することは本発明に必須の条件ではない。
【００５０】
さらに上記実施形態では、空間部１６が複数形成され、植栽容器２が緑化構造体に複数具備される場合について説明したが、空間部１６や植栽容器２は１個のみであってもよい。
【００５１】
さらに上記実施形態では、フランジ３は、植栽容器２の対面する辺の２箇所にのみ形成されていたが、植栽容器２の上面の開口部６の外側の全周に形成されていてもよい。このように開口部６の外側の全周にフランジ３が形成されていても、フランジ３がデッキプレート１の表面に裸出し、或いはデッキプレート１の表面の上側に突出するようなこともないのである。
【００５２】
さらに上記実施形態では、植栽容器２に灌水パイプ等を挿入するための孔８や、排水ニップル１０を挿入するための孔１１が形成される場合について説明したが、このような孔８、孔１１等を形成することは本発明に必須の条件ではない。さらに、植栽容器２の構造も問うものではない。
【００５３】
さらに、本発明のウッドデッキ緑化構造体を施工する場所は、建築物の屋上部分、バルコニー、庭園、ベランダ等、問うものではない。
【００５４】
その他、本発明に係るウッドデッキ緑化構造体は、上述した実施形態に限定されるものではなく、本発明の要旨を逸脱しない範囲で、種々の変更が可能である。
【符号の説明】
【００５５】
１  デッキプレート    ２  植栽容器
３  フランジ          ４  係入凹部
【図１】
2017163906.tif 000003
【図２】
2017163906.tif 000004
【図３】
2017163906.tif 000005
【図４】
2017163906.tif 000006
【図５】
2017163906.tif 000007